(57)【要約】  取付部品が固定される、コンクリートスラブに埋設するためのアンカ（１０）。アンカは、アクセス開口部（１５）と基部開口部とを備えるハウジングと、基部開口部を通常閉じるためのカバー（６０）と、締結具キャリッジ（３０）と、キャリッジに保持される締結具（４０）と、キャリッジ支持体（５０）と、キャップ（２０）とを有する。締結具キャリッジと締結具とキャップとキャリッジ支持体とは、ハウジングに対してユニットとして回転し、締結具はハウジングを通って移動する。
2005515333.tif 000002
【特許請求の範囲】
【請求項１】
コンクリートスラブに埋設するための、取付部品が固定されるアンカであって、
アクセス開口部と基部開口部とを備えるハウジングと、
ハウジングの前記基部開口部を通常閉じるためのカバーと、
締結具キャリッジと、
キャリッジによって保持される締結具と、
キャリッジ支持体およびキャップとを有し、それによって締結具キャリッジと締結具とキャップとキャリッジ支持体とがハウジングに対してユニットとして回転し、また締結具と締結具キャリッジとがハウジングを通って自由に移動できる、
アンカ。
【請求項２】
前記ハウジングの形状が円筒形である請求項１のアンカ。
【請求項３】
前記ハウジングが、該ハウジングの基部開口部から離間したアクセス開口部を有する請求項１のアンカ。
【請求項４】
前記アクセス開口部が前記ハウジングの周壁から内方に突出する折返し壁によって設けられる請求項３のアンカ。
【請求項５】
前記ハウジングから外方に突出する少なくとも１個のアンカ部分を有する、請求項１のアンカ。
【請求項６】
通常は前記基部開口部を密封する前記カバーが、前記基部開口部に収容される栓を含む請求項３のアンカ。
【請求項７】
前記ハウジング内の前記キャップが前記アクセス開口部に隣接する請求項１のアンカ。
【請求項８】
前記キャップが、前記アクセス開口部の下側のエッジに対して配置されたリップを有する請求項７のアンカ。
【請求項９】
前記キャップが、該キャップを部分的に横切るスロットを有する請求項７または８のアンカ。
【請求項１０】
前記キャップの前記スロットが正確な端部を有する請求項９のアンカ。
【請求項１１】
前記キャリッジ支持体が前記キャップの下側から外方へ延出する互いに対向しかつ離間したフランジによって設けられる請求項７のアンカ。
【請求項１２】
前記互いに対向するフランジの間に延在する、前記キャップの下側の溝を含む請求項１１のアンカ。
【請求項１３】
前記締結具キャリッジが、前記締結具が間に収容されて前記締結具キャリッジに対する回転が防止される、互いに対向しかつ離間した脚部を有する請求項１のアンカ。
【請求項１４】
前記締結具キャリッジが溝を備える上面を有する請求項１３のアンカ。
【請求項１５】
前記締結具キャリッジの前記上面を通る孔を含む請求項１４のアンカ。
【発明の詳細な説明】
【技術分野】
【０００１】
本発明は、コンクリートスラブに埋設されて取付部品が固定されるアンカに関連する。
【０００２】
本発明をコンクリート壁での使用に関連して例として説明するが、これは単なる例に過ぎず、スラブは床または天井でもよいことを理解すべきである。
【背景技術】
【０００３】
コンクリート建築物の建設では、壁スラブは現場で製造されるか予め組み立てられ、建築物を建設するには、鋼製骨組みなどの取付部品を壁に装着する必要がある。
【０００４】
スラブを製造するためコンクリートを注入する前に、補強材に配置および固定されることにより、多様なタイプのアンカがスラブに埋設される。アンカの面は、スラブ構造に使用される型枠に対して配置される。いったんスラブが硬化すると、型枠が取り外されてアンカが露出され取付部品がアンカに固定される。
【０００５】
結果的に製造されるスラブの所望の箇所にアンカが正確に配置されることが不可欠である。アンカによっては調整が可能であるため、若干の不整合または配置ミスは許容されている。
【０００６】
【特許文献１】欧州特許公開公報第１２１７１３６号
【特許文献２】国際特許公開公報第ＷＯ／２００２／３３１８５号
【特許文献３】国際特許公開公報第ＷＯ／９６／２１０６５号
【特許文献４】特開平第１０−０００６１０号公報
【発明の開示】
【発明が解決しようとする課題】
【０００７】
本発明の目的は、上述したアンカに対する現実的な代替物となるアンカを提供することである。
【課題を解決するための手段】
【０００８】
本発明の一つの側面によれば、コンクリートスラブに埋設されて取付部品が固定されるアンカが提供され、かかるアンカは、
アクセス開口部と基部開口部とを備えるハウジングと、
ハウジングの基部開口部を閉じるためのカバーと、
締結具キャリッジと、
キャリッジによって保持される締結具と、
キャリッジ支持体およびキャップとを有し、締結具キャリッジと締結具とキャップとキャリッジ支持体とがハウジングに対してユニットして回転し、さらに締結具と締結具キャリッジとがハウジングを通って移動できる。
【０００９】
ハウジングは、所望の周方向形状を持つとともに、少なくとも一つの周壁を有する。ハウジングは円形の周方向形状を持ち、周壁は概ね円筒形であってもよいが、これは必須ではない。
【００１０】
ハウジングは、基部開口部と、基部開口部から離間したアクセス開口部とを有する。各周壁から内方に突出する折返し壁によってアクセス開口部が形成されることが望ましい。周壁の形状が円形である場合、折返し壁は環状の外観を持つ。
【００１１】
ハウジングは、通常はこれが埋設されるスラブの一部を形成する補強材にハウジングを固定するための少なくとも１個のアンカ部分を有する。２個のアンカ部分が設けられることが望ましい。アンカ部分は、ハウジングから外方に延出する突出部を含む。ハウジングが円形の周壁を持つ場合、突出部は、壁の直径方向に離間した箇所で壁から外方に延出する。
【００１２】
アンカはカバーを含む。カバーは通常、ハウジングの基部開口部を密封する。カバーはハウジングとは別個の部品として形成されることが望ましく、ハウジングに装着されて基部開口部を閉じる。ハウジングの周壁が円形である場合には、カバーの形状も円形であり、ハウジングに対して配置される外方延出フランジを有する。フランジは、ハウジングの周壁の内面に密接して、ハウジング内に収容されることが望ましい。カバーは、間にハウジングの壁を収容する２個の同心部分円筒形フランジを有することが望ましい。
【００１３】
カバーは、フランジがそこから延出するメインパネルを持つ。所望であれば、パネルに１個以上の離間用突起が設けられ、最も内側のフランジの内方に位置する。各離間用突起は、カバーのメインパネルからの若干のキャリッジ支持体として機能する。
【００１４】
アンカは、ハウジングに対して配置されるとともに、アクセス開口部に近接するキャップを有する。キャップはハウジング内に配置され、アクセス開口部を部分的に閉じる。キャップは折返し壁の下側に対して配置されるリップを有することが望ましい。
【００１５】
キャップは、キャップを部分的に横切るスロットを有することが望ましい。スロットは弧状端部を持つが、これが必要なわけではない。
【００１６】
アンカは、キャリッジ支持体を有する。支持体は、締結具キャリッジを収容するためと、支持体を横切る締結具キャリッジの移動を案内するための互いに離間した直立状でかつ互いに対向する側面フランジを有する。支持体は概ねU字形状で、対向側面フランジの間に延在する壁を有することが望ましい。通路はスロットを有する。
【００１７】
締結具キャリッジは、接続壁と互いに対向する側部アームとを備える概ねU字形状である。側部アームの外面は、キャリッジ支持体の互いに対向するフランジと係合するため平坦な輪郭に形成され或いは平坦な輪郭を有する。こうして、締結具キャリッジは支持体に沿って自由に移動するが、支持体の互いに対向するフランジにより、支持体に対して回転しないように保持される。
【００１８】
キャップから締結具キャリッジに向かって延出する外方突出フランジにより、支持が行われてもよい。本実施例のキャリッジ支持体は、キャップと一体的に形成される。直径方向に対向する２個のフランジが設けられることが望ましい。
【００１９】
代替実施例では、キャリッジ支持体は別個の構成部品として形成される。
【００２０】
別個の構成部品として設けられる場合の支持体は、キャップと支持体とその間に保持される締結具キャリッジとがハウジング内でユニットとして回転することを保証するように、キャップと係合するための位置決め部材を有する。位置決め部材は、支持体のフランジから突出するフィンガとして設けられ、キャップは、フィンガを収容するための位置決め溝を備える。所望であれば、フィンガがキャップから突出し、フランジが位置決め溝を有してもよい。
【００２１】
締結具は締結具キャリッジに収容され、締結具キャリッジに対して回転しないように保持される。好適な実施例では、締結具はねじ付きナットである。この実施例では、ナットと係合するにボルトが突出する孔を締結具キャリッジが有する。これに代えて、締結具がボルトであり、その頭部が締結具キャリッジの側部アームの間に収容されて、回転しないように保持され、そしてボルトのシャンクが締結具キャリッジの孔から外方に延出するものであっても良い。
【発明を実施するための最良の形態】
【００２２】
以下、本発明のアンカの特に好適な実施例を、図面を参照して例として説明する。
【００２３】
アンカ１０は、アクセス開口部１５を形成する環状の内向き折返し壁１１を備える円筒形本体１２を有する。本体の反対側の端部は開口している。アンカ部分１３，１４が、本体１２の直径方向に対向対向する箇所から外方に突出している。
【００２４】
アンカ１０は、キャップ２０と締結具キャリッジ３０と締結具４０とキャリッジ支持体５０とカバー６０とを含む。
【００２５】
キャップ２０は、開口部１５内に収容される隆起部分２３，２４を有する。フランジまたはリップ２６が、部分２３，２４の周囲に延在して、キャップ２０が開口部１５を通り抜けるのを防止する。部分２３，２４の間にはチャンネル２２が設けられ、チャンネル２２の中にはスロット２１が配置されている。
【００２６】
キャップ２０は、リップ２６に形成された溝２５を有する。キャップの両側には、このような溝が４個、対になって配置されている。
【００２７】
締結具キャリッジ３０はU字形状であり、孔３１が貫通する接続壁を有する。
【００２８】
キャリッジ３０は、外側平坦面を備える脚部３３，３４を有する。キャリッジ３０に対する締結具４０の回転を防止するように、キャリッジ３０は締結具４０を収容するためのキャビティ３２を有する。
【００２９】
キャリッジ支持体５０は、接続壁５７から延出する側面フランジ５２，５３を有する。脚部３３，３４の平坦側面は、フランジ５２，５３の内面と係合しており、このため、キャリッジは支持体５０に沿って自由に移動するが、支持体に対して回転はできない。壁５７にはスロット５１が形成されている。
【００３０】
支持体５０はフランジ５２，５３から突出するとともに、キャップ２０の溝２５と嵌合するフィンガ５４，５５を有し、このため、組立状態においてキャップ２０はキャリッジ３０と締結具４０とを本体１２内で自由回転するユニットとしてキャップと支持体５０との間に保持する。
【００３１】
カバー６０は、他の部品が本体内に配置されると、本体１２の底面を閉口する。カバーは、上向き円形フランジ６１が延出するメインパネル６２を有する。フランジは本体１２内に収容されて、カバーを本体に対して保持する。二つの部分円形フランジ６４，６３もパネル６２から延出する。所望であれば、壁５７の下側をパネルから離間させて壁５７とパネル６２との間に間隙を設けるのに役立つ１個以上の離間構造がパネル６２に形成されてもよい。これにより、締結具４０と係合するボルトのシャンクを壁５７の下側から若干突出させることができる。
【００３２】
図３のアンカ７０は、アクセス開口部７３を形成する環状の内向き折返し壁７２を備える円筒形本体７１を有する。本体７１の反対側の端部は開口している。アンカ部分７４，７５は、本体７１の直径方向に対向する箇所から外方へ突出している。
【００３３】
アンカ７０は、キャップ８０と締結具キャリッジ９０と締結具１００とカバー１１０とを含む。
【００３４】
図３の実施例において、キャリッジ支持体はキャップ８０と一体的に形成されていて、２本（１本のみが見える）の脚部８１から構成されている。締結具キャリッジ９０はこれら脚部８１の間に収容され、フランジに対して、そしてキャップ８０のスロット８２を通る縦軸の方向に移動できる。
【００３５】
キャップ８０は、隆起部分８３，８４と、部分８３，８４の周囲に延在するリップ８５とを有する。脚部８１の間の領域においてキャップ８０の下側には、フランジ８１の間に延在する溝８６が形成されている。
【００３６】
キャリッジ９０は、締結具１００が間に収容されてキャリッジ９０に対して回転しないように保持される脚部９１，９２を有する。孔９３がキャリッジを貫通し、締結具１００にアクセスできる。キャリッジ９０の上面は溝９４を有する。これらの溝９４は通常は溝８６と係合しておらず、したがってキャリッジはスロット８２の方向に自由に移動する。キャリッジがキャップ８０に対して所望の位置にあり、ボルトなどが締結具１００に係合して締め付けられると、キャリッジ９０はキャップ８０と係合し、溝８６，９４が相互に係合すると、所望の箇所に保持される。
【００３７】
カバー１１０は、開口部７３と反対側の本体７１の端部を閉口する。カバーは、基部開口内に収容される栓である。
【００３８】
使用時には、アンカは部分１３，１４（もしくは７４，７５）に固定された結合具などにより補強材に固定される。アクセス開口部１５，７３は接着剤パッチによって閉口される。スラブの鋳造に使用される型枠が、アンカ当接壁１１に対して配置される。次にコンクリートが注入されて硬化すると、結果的に得られるスラブにアンカが埋設されることとなる。それから型枠が外され、接着剤パッチが取られると、開口部１５（７３）が露出する。次に、ボルトを利用して取付部品をアンカに装着する。アンカは、スラブに対する所望の位置に取付部品を確実に配置するための調整を可能にする。締結具キャリッジは左右に自由に移動し、さらに、本体１２（７１）に対して回転させるには、上述したユニットが採用される。
【図面の簡単な説明】
【００３９】
【図１】本発明の一実施例によるアンカの斜視図である。
【図２】図１のアンカの展開図である。
【図３】本発明の別の実施例によるアンカの展開図である。
【図１】
2005515333.tif 000003
【図２】
2005515333.tif 000004
【図３】
2005515333.tif 000005
【国際調査報告】
2005515333.tif 000006
2005515333.tif 000007
2005515333.tif 000008